(57)【要約】      （修正有）【課題】台紙自体の加工だけの簡易な構成でマスクが飛び出したり落ちたりすること等を防ぐことを可能とし収納するマスクの厚さ等に応じて高さを調整可能としたマスクホルダーを提供する。【解決手段】三つ折りにされた台紙のうち真ん中の台紙１０１を間に挟んだ両側の台紙の一方の台紙１０２には、差し込み片１０４Ａ、１０４Ｂを画定する切り込みパタン１０５Ａ、１０５Ｂが形成されており、他方の台紙１０３には、真ん中の台紙との境界の谷折り線１０８と直交する向きに沿って外縁との間に複数の係止用の切り抜き１０６Ａ１〜１０６Ａ３、１０６Ｂ１〜１０６Ｂ３が互いに離間して併設され、折り畳まれた両側の台紙と真ん中の台紙の間にマスクが収納され、一方の台紙の差し込み片は対向する他方の台紙のいずれかの係止用の切り抜きに差し込まれる。【選択図】図１
0003231357.tif 000002
【実用新案登録請求の範囲】
【請求項１】
三つ折りにされた台紙のうち真ん中の台紙を間に挟んだ両側の台紙の一方には、差し込み片を画定する切り込みパタンが形成されており、他方の台紙には、前記真ん中の台紙との境界の谷折り線と直交する向きに沿って外縁との間に複数の係止用の切り抜きが互いに離間して併設され、
折り畳まれた前記両側の台紙と前記真ん中の台紙の間にマスクが収納され、
前記一方の台紙の前記差し込み片は対向する前記他方の台紙のいずれかの前記係止用の切り抜きに差し込まれるマスクホルダー。
【請求項２】
前記差し込み片は、前記差し込み片の先端側を幅広とし前記先端側と反対側の基部側を幅狭とした形状を有し、
前記切り抜きは、互いに連通した幅広部と幅狭部を有する、請求項１に記載のマスクホルダー。
【請求項３】
前記一方の台紙には、前記一方の台紙の上側角部と下側角部からそれぞれ所定距離離間した位置に第１、第２の前記差し込み片を画定する切り込みパタンが形成され、
前記他方の台紙には、
前記一方の台紙の第１の前記差し込み片を画定する切り込みパタンの延長線上に、前記真ん中の台紙との境界の谷折り線と直交する向きに沿って外縁との間に前記複数の係止用の切り抜きが形成され、さらに、
前記一方の台紙の第２の前記差し込み片を画定する切り込みパタンの延長線上に、前記真ん中の台紙との境界の谷折り線と直交する向きに沿って外縁との間に複数の係止用の切り抜きが形成されている、請求項１記載のマスクホルダー。
【請求項４】
前記差し込み片は前記一方の台紙から浮かされ、前記差し込み片の先端側の幅広部から、対応する前記他方の台紙の前記切り抜きの幅広部に挿通される、請求項１記載のマスクホルダー。
【考案の詳細な説明】
【技術分野】
【０００１】
本考案は、マスクを収納するマスクホルダーに関する。
【背景技術】
【０００２】
利用者が飲食時等に外したマスクを収納するマスクホルダー（「マスクケース」ともいう）を配布するサービスを提供するレストランやホテル等が増えている。レストランやホテル等で提供される使い捨てマスクホルダーの中には二つ折り加工されただけのものがある。
【０００３】
なお、特許文献１には、図６に示すように、三つ折り加工され、上辺（ａ）と底辺（ｂ）は山折になっており、左辺（ｅ）で圧着され、辺（ａ）と底辺（ｂ）及び左辺（ｅ）は閉じた状態になっている。右辺（ｃ）と右辺（ｄ）、（ｆ）は開口しているため、ここからマスクを出し入れすることができるようにしたマスク収納ケースが開示されている。さらに、三つ折り加工され、表紙部が蓋となることで、収納したマスクの落下を防ぐようにした紙製マスクケースも製造販売されている。
【先行技術文献】
【特許文献】
【０００４】
【特許文献１】実用新案登録第３１７０８２７号公報
【考案の概要】
【考案が解決しようとする課題】
【０００５】
二つ折り加工されただけのマスクホルダーでは、二つ折りされた台紙の間にマスクを挟んで収納することになるが、レストランやホテル等において、例えば、テーブルに運ばれる料理や飲料等を置くために該テーブル上のマスクホルダーを移動させる場合、手や腕、物がマスクホルダーにあたった場合等に、二つ折りされた台紙の間からマスクが飛び出したりこぼれ落ちたりすること等が起こり得る。また、立体マスクや布マスク等畳んだ状態で嵩張るマスクの場合、二つ折り加工されただけのマスクホルダーに収容された該マスクがマスクホルダーから飛び出したり下に落ちたりする可能性が高くなる。
【０００６】
そこで、本考案は、台紙自体の加工だけの簡易な構成でマスクが飛び出したり落ちたりすること等を防ぐことを可能とするとともに収納するマスクの厚さ等に応じて高さを調整可能としたマスクホルダーを提供することを目的とする。
【課題を解決するための手段】
【０００７】
本考案に係るマスクホルダーは、三つ折りにされた台紙のうち真ん中の台紙を間に挟んだ両側の台紙の一方には、差し込み片を画定する切り込みパタンが形成されており、他方の台紙には、前記真ん中の台紙との境界の谷折り線と直交する向きに沿って外縁との間に複数の係止用の切り抜きが互いに離間して併設され、折り畳まれた前記両側の台紙と前記真ん中の台紙の間にマスクが収納され、前記一方の台紙の前記差し込み片は対向する前記他方の台紙のいずれかの前記係止用の切り抜きに差し込まれる。
【考案の効果】
【０００８】
本考案によれば、台紙自体の加工だけの簡易な構成でマスクが飛び出したり落ちたりすること等を防ぐことを可能とするとともに収納するマスクの厚さ等に応じて高さを調整可能としている。
【図面の簡単な説明】
【０００９】
【図１】本考案の実施形態の構成を説明する図である。
【図２】本考案の実施形態を説明する図である。
【図３】本考案の実施形態を説明する図である。
【図４】本考案の実施形態を説明する図である。
【図５】本考案の実施形態を説明する図である。
【図６】関連技術を説明する図である。
【考案を実施するための形態】
【００１０】
図１は、本考案の一実施形態の構成を説明する図である。図１は、三つ折りされたマスクホルダー１０を展開した平面模式図である。図１を参照すると、本考案の一実施形態に係るマスクホルダー１０において、三つ折り加工された台紙のうち真ん中の台紙１０１を間に挟んだ両側の台紙１０２、１０３のうち一方の台紙１０２には上側角部付近、すなわち該角部から所定距離離間して、差し込み片１０４Ａを画定する切り込み１０５Ａがパタン形成されている。両側の台紙１０２、１０３のうち他方の台紙１０３には、真ん中の台紙１０１との境界の谷折り線１０８に直交する向きに沿って外縁との間の所定の位置に、複数の係止用の切り抜き１０６Ａ１、１０６Ａ２、１０６Ａ３が互いに離間して形成されている。
【００１１】
さらに一方の台紙１０２には、下側角部付近、すなわち該角部から所定距離離間して、差し込み片１０４Ｂを画定する切り込み１０５Ｂがパタン形成されている。台紙１０３には、真ん中の台紙１０１との境界の谷折り線１０８に直交する向きに沿って外縁との間の所定の位置（谷折り線１０８からの距離はそれぞれ係止用の切り抜き１０６Ａ１、１０６Ａ２、１０６Ａ３と同一の位置）に、複数の係止用の複数の係止用の切り抜き１０６Ｂ１、１０６Ｂ２、１０６Ｂ３が形成されている。なお、係止用の切り抜き１０６Ａ１、１０６Ａ２、１０６Ａ３は三つに制限されるものでなく少なくとも二つあればよい。係止用の切り抜き１０６Ｂ１、１０６Ｂ２、１０６Ｂ３についても同様である。
【００１２】
利用者は、マスクホルダー１０の真ん中の台紙１０１にマスクを置き、両側の台紙１０２、１０３を谷折り線１０７、１０８で折り畳み、台紙１０２の差し込み片１０４Ａが台紙１０２から表側に浮かせ、対向する台紙１０３の係止用の切り抜き１０６Ａ１、１０６Ａ２、１０６Ａ３の一つに裏側から差し込み、台紙１０３の表面側に突出させる。また、差し込み片１０４Ｂを台紙１０２から表側に浮かせ、対向する台紙１０３の複数の係止用の切り抜き１０６Ｂ１、１０６Ｂ２、１０６Ｂ３の一つに裏側から差し込み、台紙１０３の表面側に突出させる。
【００１３】
なお、図１の例では、差し込み片１０４Ａはその先端が台紙１０２の辺と面一とされているが、差し込み片１０４Ａは台紙１０１の内側に形成してもよいことは勿論である。また、台紙１０３には、三つの係止用の切り抜き１０６Ａ１、１０６Ａ２、１０６Ａ３の列、三つの係止用の切り抜き１０６Ｂ１、１０６Ｂ２、１０６Ｂ３の列が形成されているが、各列は、二つ係止用の切り抜きであってもよい。
【００１４】
図１に例示するように、差し込み片１０４Ａ、１０４Ｂは、その先端部側が幅広、先端と反対側の基部側が幅狭の２段形状とされ、先端部の両側は、角丸加工されている。すなわち、差し込み片１０４Ａ、１０４Ｂは、幅狭部の基部から両側に拡延された傘（キノコ）型の形状とされている。切り抜き１０６Ａ１、１０６Ａ２、１０６Ａ３、切り抜き１０６Ｂ１、１０６Ｂ２、１０６Ｂ３の各形状も、差し込み片１０４Ａ、１０４Ｂに対応して幅広部と幅狭部の２段構成とされる。切り抜き１０６Ａ１、１０６Ａ２、１０６Ａ３、切り抜き１０６Ｂ１、１０６Ｂ２、１０６Ｂ３の幅広部と幅狭部の幅は、差し込み片１０４Ａ、１０４Ｂの幅広部と幅狭部の幅にそれぞれ対応している。切り抜き１０６Ａ１、１０６Ａ２、１０６Ａ３、切り抜き１０６Ｂ１、１０６Ｂ２、１０６Ｂ３、及び差し込み片（係止片）１０４Ａ、１０４Ｂは、例えば台紙の型抜き加工等で形成される。
【００１５】
なお、差し込み片１０４Ａ、１０４Ｂの形状は、傘（キノコ）型の形状に制限されるものでないことは勿論である。また、差し込み片１０４Ａ、１０４Ｂを台紙１０３に形成し、切り抜き１０６Ａ１、１０６Ａ２、１０６Ａ３、切り抜き１０６Ｂ１、１０６Ｂ２、１０６Ｂ３を台紙１０２に形成してもよいことは勿論である。
【００１６】
本実施形態において、三つ折り加工される台紙（シート）１０１、１０２、１０３は両面抗菌処理されている。なお、台紙（シート）は紙材に制限されるものでなく、例えば抗菌ポリシート（Low Density Polyethylene）等であってもよい。
【００１７】
図２は、マスクホルダー１０の台紙１０２、１０３を折り畳み重ねわせて係止させた状態を説明する模式図である。図２では、台紙１０２の差し込み片（係止片）１０４Ａ、１０４Ｂは、台紙１０３の切り抜き１０６Ａ１、１０６Ｂ１にそれぞれ差し込まれ台紙１０３の表面に突出している。図２の例は、真ん中の台紙１０１と、重ね合わされた台紙１０２、１０３との間の間隔（高さ：図２の両矢線で示す）は、台紙１０２の差し込み片（係止片）１０４Ａ、１０４Ｂを台紙１０３の切り抜き１０６Ａ２、１０６Ｂ２、あるいは、１０６Ａ３、１０６Ｂ３にそれぞれ差し込んだ場合よりも小さい（高さは最も低い）。
【００１８】
不織布マスク等では装着時に顔（鼻等）形状にフィットするノーズワイヤ等を備えている。使用前のマスクが平坦であっても、使用時のマスク２０は鼻、顎等の形状にフィットし、顔から外したマスク２０は、顔にフィットしたノーズワイヤ等により、ある程度立体形状（高さ、あるいは厚み）を保持している。顔にフィットしたマスクのノーズワイヤ等の圧力（応力）により、折り畳まれ重ね合わされた台紙１０２、１０３が持ち上がる場合であっても、先端側が台紙１０３の表側に露出した差し込み片１０４Ａ、１０４Ｂの幅広部（拡延部）が、台紙１０３の切り抜き１０６Ａ１、１０６Ｂ１の幅狭部で係止ロックされる。このため、マスクの厚み等により台紙１０２と台紙１０３の係止（台紙１０２と台紙１０３が折り畳まれた状態に係止）が外れて台紙１０２と台紙１０３が開くことが抑制され、マスクがマスクホルダー１０から外に飛び出したり落ちたりすること等を防ぐことができる。
【００１９】
図３は、マスク２０を収容した状態を台紙１０３の表側からみた側面模式図である。図３を参照すると、利用者は、三つ折りされたマスクホルダー１０の台紙１０２、１０３を折り畳み、差し込み片１０４Ａ、１０４Ｂの先端部を台紙１０２の面から表側に浮かせ、差し込み片１０４Ａ、１０４Ｂの先端部を、台紙１０３の対応する切り抜き１０６Ａ１、１０６Ｂ１の幅広部に裏側から差し込んで台紙１０３の表側に突出させる。この操作により、台紙１０２及び台紙１０３と、台紙１０１との間、すなわち三つ折り内側にマスク２０を収納したマスクホルダー１０において、台紙１０２と台紙１０３は折り畳まれ重ね合わされた状態に係止（保持）される。
【００２０】
本実施形態においては、台紙１０１の上にマスク２０を配置してから、折り畳んだ台紙１０２の差し込み片１０４Ａ、１０４Ｂを台紙１０３の対応する切り抜き１０６Ａ１、１０６Ｂ１に差し込んで係止させてもよいし、台紙１０２の差し込み片１０４Ａ、１０４Ｂを台紙１０３の対応する切り抜き１０６Ａ１、１０６Ｂ１に差し込んで係止させてから、マスク２０を、台紙１０１と折り畳んだ台紙１０２、１０３との間の空間に配置するようにしてもよい。
【００２１】
なお、図２、図３では、三つ折りされ真ん中の台紙を間に挟んだ両側の台紙を互いに重ねる場合、台紙１０３が上側、台紙１０２が下側に折り畳まれているが、台紙１０２が上側、台紙１０３が下側となるように折り畳んでもよい。この場合、台紙１０２の差し込み片１０４Ａ、１０４Ｂの先端部を台紙１０２の面から裏面側に浮かせ、差し込み片１０４Ａ、１０４Ｂの先端部を、台紙１０３の切り抜き１０６Ａ１、１０６Ｂ１の幅広部に表側から差し込んで台紙１０３の裏側に突出させる。
【００２２】
図３の例では、マスク２０の両側の耳ひも２１を内側に折り畳んでいるが、耳ひも２１は内側に折り畳まなくてもよい。
【００２３】
図４は、マスクホルダー１０を畳んで係止した状態を説明する模式図である。図２では、台紙１０２の差し込み片（係止片）１０４Ａ、１０４Ｂは、台紙１０３の切り抜き１０６Ａ２、１０６Ｂ２にそれぞれ差し込まれている。この場合、真ん中の台紙１０１と、折り畳んだ台紙１０２、１０３との間の高さは、図２よりも高い。このため、立体マスクや布製マスク等、厚さのある（嵩張る）マスク等を収納することができる。
【００２４】
図５は、マスク２０を収容した状態を台紙１０３の表側からみた側面模式図である。図５を参照すると、利用者は、三つ折りされたマスクホルダー１０の台紙１０１の上にマスク２０を配置した状態で、台紙１０２の差し込み片１０４Ａ、１０４Ｂの先端部を台紙１０２の面から浮かせ、差し込み片１０４Ａ、１０４Ｂの先端部を、台紙１０３の切り抜き１０６Ａ２、１０６Ｂ２の幅広部から差し込んで台紙１０３の表側に突出させる。この操作により、台紙１０２と台紙１０３と台紙１０１との間、すなわち三つ折り内側にマスク２０を収納したマスクホルダー１０において、台紙１０２と台紙１０３は折り畳まれた状態に係止（保持）される。
【００２５】
さらに、立体マスクや布製マスクを畳んで収納する場合等、マスクが嵩張る場合、三つ折りされたマスクホルダー１０の台紙１０１の上にマスク２０を配置した状態で、台紙１０２の差し込み片１０４Ａ、１０４Ｂの先端部を台紙１０２の面から浮かせ、差し込み片１０４Ａ、１０４Ｂの先端部を、台紙１０３の切り抜き１０６Ａ３、１０６Ｂ３の幅広部から差し込んで台紙１０３の表側に突出させるようにしてもよい。
【００２６】
本実施形態によれば、マスクホルダー１０の台紙自体の加工（切り抜き、切り込み）による簡易な構成で、収納するマスク２０の厚さ、嵩張り具合等に応じて、台紙１０１（底面）と折り畳まれた台紙１０２、１０３との間の間隔（高さ）を可変させて係止することができる。
【００２７】
なお、差し込み片１０４Ａ、１０４Ｂの長さは、図示のものに限定されず、さらに長くてもよい。切り抜き１０６Ａ１、１０６Ａ２、１０６Ａ３、及び、切り抜き１０６Ｂ１、１０６Ｂ２、１０６Ｂ３は、三つ折りの谷折り線１０８に平行に配置されているが、差し込み片１０４Ａ、１０４Ｂや切り抜きの配置角度は、図１の例に制限されるものでないことは勿論である。
【符号の説明】
【００２８】
１０  マスクホルダー
２０  マスク
２１  耳ひも
１０１  台紙（三つ折り加工された真ん中の台紙）
１０２  台紙（三つ折り加工された両側の台紙の一方の台紙）
１０３  台紙（三つ折り加工された両側の台紙の他方の台紙）
１０４Ａ、１０４Ｂ  差し込み片（係止片）
１０５Ａ、１０５Ｂ  切り込みパタン
１０６Ａ１、１０６Ａ２、１０６Ａ３、１０６Ｂ１、１０６Ｂ２、１０６Ｂ３  切り抜き
１０７、１０８  谷折り線（三つ折りの谷折り）
【図１】
0003231357.tif 000003
【図２】
0003231357.tif 000004
【図３】
0003231357.tif 000005
【図４】
0003231357.tif 000006
【図５】
0003231357.tif 000007
【図６】
0003231357.tif 000008